(57)【要約】【課題】キャブ後方に架装した箱形荷箱のルーフ部を昇降する昇降機構を、客と接客する開放空間の壁以外の他の壁に取り付け、かつ、開放空間には顧客と作業者との間の視界を遮る部材が一切存在しないようにして視認性を向上した移動販売車を提供する。【解決手段】荷箱本体３のルーフ部を昇降させる昇降機構９を設け、この昇降機構９によりルーフ部８を上昇させることで荷箱本体３内で立ち姿勢で作業を行える移動販売車であって、左右両側壁の少なくともいずれか一方の側壁を開閉可能に設け、昇降機構によりルーフ部８を上方に移動し且つ側壁を開いたとき作業者と顧客との間の視界を遮る部材が介在しないように構成した。【選択図】　　　図２
2004009762.tif 000002
【特許請求の範囲】
【請求項１】
車両のキャブ後部に、ルーフ部が昇降機構により上方に移動して室内空間を拡張するように形成した箱形の荷箱本体を有すると共に、前記室内空間から顧客に接客して販売物を授受する移動販売車であって、接客する側にある煽りパネルを下方に折りたためるように形成し、前記ルーフ部を上方に移動し、かつ前記煽りパネルを下方に折りたたむようにして開くことにより、前記室内空間を外部に露呈させる開放空間が形成され、前記開放空間に前記荷箱本体を形成するフレーム材等の遮蔽物が存在しないように構成したことを特徴とする移動販売車。
【請求項２】
外側を壁部材で囲い、この壁部材の上側をルーフ部で覆って箱形に形成した荷箱本体をキャブ後方に架装し、前記壁部材と前記ルーフ部との間に前記ルーフ部を支持しながら昇降させる昇降機構を設け、この昇降機構により前記ルーフ部を上昇させる移動販売車において、前記壁部材のうち左右両側にある煽りパネルの少なくともいずれか一方の煽りパネルを前記荷箱本体に開閉可能に設け、前記左右両側にある煽りパネルの少なくともいずれか一方の煽りパネルを開いたとき、前記荷箱本体の内部空間が外部に開放されて顧客と接客可能な開放空間が形成されると共に、前記昇降機構を前記左右両側にある煽りパネルの少なくともいずれか一方の煽りパネルを除いた他の前記壁部材に取り付け、前記昇降機構により前記ルーフ部を上方に移動し且つ前記左右両側にある煽りパネルの少なくともいずれか一方の煽りパネルを開いたとき、前記荷箱本体内の作業者と顧客との間に存する前記開放空間に、作業者と顧客との間の視界を遮る部材が介在しないように構成したことを特徴とする移動販売車。
【請求項３】
前記左右両側にある煽りパネルの少なくともいずれか一方の煽りパネルは、上下方向に複数段でなる部分壁に分割すると共に、これら部分壁を互いにヒンジを介して結合し、これら部分壁を下方向に折りたたんで前記接客可能な開放空間が形成されることを特徴とする請求項１または２記載の移動販売車。
【請求項４】
前記荷箱本体の内部に、食品を調理する厨房器具を装備し、作業者が料理した食品を前記接客可能な開放空間を通じて授受できるように構成したことを特徴とする請求項１乃至３のいずれか一に記載の移動販売車。
【発明の詳細な説明】
【０００１】
【発明の属する技術分野】
本発明は、移動販売車に係り、例えば軽トラックに作業が可能となる箱形の荷箱を搭載し、荷箱の壁部材を開き、ルーフ部を上昇して、荷箱内部を外部に開放して形成される開放空間に、作業者と顧客との間の視界を妨げる部材が介在しないようにして視界を確保する移動販売車に関する。
【０００２】
【従来の技術】
従来、車両のルーフ部を昇降機構により昇降させ車室内空間を大きくして使用できるようにしたものとして、例えば実開平１−１７１７３２号や実開平１−１６８３３６号公報が公知である。
これら実開平１−１７１７３２号および実開平１−１６８３３６号公報に記載の技術は、いずれもワンボックス型車両をベースとした移動販売車であって、運転室と一体の後方空間を調理室として形成し、その調理室内に厨房機器を備え、そのルーフ部を昇降機構により上昇させて拡張することで調理作業者（作業者）が立ち姿勢で食品を調理できるように形成する。車両側壁には跳ね上げ式の扉を設け、跳ね上げ式扉を開いて接客を行える空間を作り、その空間を介して調理した食品を授受して販売する構造である。
【０００３】
【発明が解決しようとする課題】
しかしながら、実開平１−１７１７３２号および実開平１−１６８３３６号公報に記載の車両は共に、跳ね上げ式扉を開いて接客空間を形成し、ルーフ部を上昇移動させたときでも、跳ね上げ式扉の存在と相まって車室空間の強度を維持するためのルーフ部レールといった車体構成部材が存在しているため、折角の接客空間を設けたにもかかわらず、接客空間の視界が狭められ、顧客を視認するための妨げとなり、ひいては客との意思疎通を図る上で大きな支障を招く問題があった。
【０００４】
本発明は、上記問題点に鑑みて工夫されたものであって、キャブ後方に架装した箱形荷箱のルーフ部を昇降する昇降機構を、客と接客する開放空間の壁以外の他の壁に取り付け、かつ、開放空間には顧客と作業者との間の視界を遮る部材が一切存在しないようにして視認性を向上した移動販売車を提供することを目的とする。
【０００５】
【課題を解決するための手段】
本発明は、上記目的を達成するために、次の構成を有する。すなわち、請求項１記載の発明に係る移動販売車は、車両のキャブ後部に、ルーフ部が昇降機構により上方に移動して室内空間を拡張するように形成した箱形の荷箱本体を有すると共に、前記室内空間から顧客に接客して販売物を授受する移動販売車であって、接客する側にある煽りパネルを下方に折りたためるように形成し、前記ルーフ部を上方に移動し、かつ前記煽りパネルを下方に折りたたむようにして開くことにより、前記室内空間を外部に露呈させる開放空間が形成され、前記開放空間に前記荷箱本体を形成するフレーム材等の遮蔽物が存在しないように構成したことを特徴とする。
【０００６】
請求項１の発明によれば、接客側の煽りパネルを下方に折りたたむようにして開き、ルーフ部部を昇降機構により上方に移動して形成される開放空間に、荷箱本体を形成するフレーム材、あるいは昇降機構の構成部材等が存在しないように構成したので、煽りパネルを下方に折りたたむように開くという簡易な操作で、作業者と顧客との間の視界を遮ることのない開放空間を迅速に形成することができ、また、両者間のやりとり、意思疎通を円滑に図れ、効率的な販売活動を営むことが可能となる。
【０００７】
また、請求項２の発明は、外側を壁部材で囲い、この壁部材の上側をルーフ部で覆って箱形に形成した荷箱本体をキャブ後方に架装し、前記壁部材と前記ルーフ部との間に前記ルーフ部を支持しながら昇降させる昇降機構を設け、この昇降機構により前記ルーフ部を上昇させる移動販売車において、前記壁部材のうち左右両側にある煽りパネルの少なくともいずれか一方の煽りパネルを前記荷箱本体に開閉可能に設け、前記左右両側にある煽りパネルの少なくともいずれか一方の煽りパネルを開いたとき、前記荷箱本体の内部空間が外部に開放されて顧客と接客可能な開放空間が形成されると共に、前記昇降機構を前記左右両側にある煽りパネルの少なくともいずれか一方の煽りパネルを除いた他の前記壁部材に取り付け、前記昇降機構により前記ルーフ部を上方に移動し且つ前記左右両側にある煽りパネルの少なくともいずれか一方の煽りパネルを開いたとき、前記荷箱本体内の作業者と顧客との間に存する前記開放空間に、作業者と顧客との間の視界を遮る部材が介在しないように構成したことを特徴とする。
【０００８】
請求項２の発明によれば、ルーフ部を上昇させ、煽りパネルを下方に開いた状態になると、作業者と顧客とが接する接客可能な開放空間には、ルーフ部を昇降させる昇降機構や、作業者と顧客との間の相互の視界を遮る部材がなんら介在しない構成であるので、開放空間を通じてより的確に接客対応でき、それだけ顧客との意思疎通が向上する。
【０００９】
また、請求項３の発明は、請求項１または２記載の移動販売車に係り、前記左右両側にある煽りパネルの少なくともいずれか一方の煽りパネルは、上下方向に複数段でなる部分壁に分割すると共に、これら部分壁を互いにヒンジを介して結合し、これら部分壁を下方向に折りたたんで前記接客可能な開放空間が形成されることを特徴とする。
【００１０】
請求項３の発明によれば、左右両側にある煽りパネルの少なくともいずれか一方の煽りパネルが上下に分割して形成され、これら各部分壁同士をヒンジを介して下方に折りたたみながら荷箱本体の一面を開くことができ、閉じるときはコンパクトに折りたたまれた状態から上方に持ち上げながら閉じることができるので、開閉操作性に優れ、開放空間を容易かつ簡易に作り出すことができる。
【００１１】
また、請求項４の発明は、請求項１または２記載の販売車に係り、前記荷箱本体の内部に、食品を調理する厨房器具を装備し、作業者が料理した食品を前記接客可能な開放空間を通じて授受できるように構成したことを特徴とする。
【００１２】
請求項４の発明によれば、厨房器具を使用して食品を調理でき、調理食品を開放空間を通じて顧客に授受して提供することで、移動販売が可能となる。
【００１３】
【発明の実施の形態】
以下、本発明の実施の形態を図面に基づいて詳述する。
図１，図２において、符号１は荷箱本体内で調理した食品を移動して販売する移動販売車を総括的に示したもので、この移動販売車１はキャブ２を備えた軽トラックであって、キャブ２の後方に箱形に形成した荷箱本体３が架装されている。荷箱本体３は４隅に支柱３Ａ，３Ｂ，３Ｃ，３Ｄが設けられ、これら各支柱３Ａ，３Ｂ，３Ｃ，３Ｄ間の各面は、前壁４、煽りパネルである左側壁５，後壁７、および煽りパネルである右側壁６よりなる壁部材で囲われ、壁部材の上側はルーフ部８で蓋をするように覆われる。ルーフ部８は前壁４、右側壁６および後壁７の各上部に設置した昇降機構９で昇降可能に支持される。なお、図２では簡略化のため前壁４と右側壁６に設置される昇降機構９を二点鎖線で示した。
この昇降機構９によりルーフ部８が下降した通常走行状態では、図１に示すように荷箱本体３の上部は蓋をされ、調理作業をするときには、ルーフ部８が上昇して荷箱本体３の内部居住空間が上方に拡張するように開放され、作業者（調理作業者）が立ち姿勢で調理作業が行えるようになる。
【００１４】
左側壁５は、上下方向に２段でなる上壁部５ａと下壁部５ｂとに分割し、二つの各壁部５ａ、５ｂはヒンジ１０を介して結合され、下壁部５ｂは荷箱本体３下部にヒンジ１１を介して取り付けられる。通常走行時は上下両壁部５ａ，５ｂは図示しないロック装置により図１のように固定して取り付けられ、走行振動に対する曲げ剛性が維持される。
車両停車時、左側壁５は、図示しない前記ロック装置を解錠し、図１の矢印Ａのように上壁部５ａをヒンジ１０を回転中心として外側に折りたたみ、図２のように折り重ねた半開状態になる。次いで図２の矢印Ｂのように半開状態にある左側壁５をさらにヒンジ１１回りを中心にして下方に回転し、二点鎖線に示す状態に移動して全開放状態にするとき、荷箱本体３の車両左側面すなわち開放空間Ｓを通じて内部空間１２が完全に外部に開放される。なお、顧客と接客できる開放空間Ｓ（図２）は、好ましくは左側壁５を半開状態で接客するのが良いが、場合によっては全開状態でも良い。
【００１５】
また、ルーフ部８が昇降機構９により上昇し、且つ左側壁５が下方に折りたたまれて開いたときに形成される上記開放空間Ｓには、荷箱本体３を構成する部材が一切介在することがない。
【００１６】
後壁７は上壁部７ａと下壁部７ｂとに上下に分割され、上壁部７ａはヒンジ１３を介して、下壁部７ｂはヒンジ１４を介してそれぞれ外側に開くように形成される。
また、右壁６には内部空間１２への出入り口用のドア（図８で示す符号Ｄ）が設けられる。
【００１７】
荷箱本体３の内部には、図３，図４に示すように食品を調理する厨房器具が収容設置される。この厨房器具としては、例えばフライヤー１５，カウンター台１６，シンク台１７，ストッカー１８、ショーケース１９等である。カウンター台１６およびショーケース１９は顧客と接客可能な開放空間Ｓに面して設置され、作業者はこれら厨房器具の間に設けられた通路２０上で立ち姿勢で調理し、開放空間Ｓを介して顧客と対面しながら調理食品を授受して販売する。
【００１８】
次に、昇降機構９について説明するが、３個ある昇降機構９はいずれも基本的な構造は同じであるので、後壁７とルーフ部８との間に設置される昇降機構９を例に挙げて説明する。すなわち、昇降機構９は図１，図５、図６によく示されるように、後壁７の上端面７ｃに取り付けられる下方基部２１と、ルーフ部８の外周縁近傍における下面に取り付ける上方基部２２と、両基部２１，２２間に設けられ、ピボット２３を中心に回転するパンタグラフ機構を形成するＸ型リンク２４と、両基部２１，２２間に設けたアクチュエータとしてのガスダンパ２５と、初期上昇操作力を助成する初期上昇助成手段２６とからなる。
Ｘ型リンク２４を形成する各リンク部２４ａ，２４ｂは、例えば対の帯状の金属板を組んで形成され、ルーフ部に対する支持剛性を高めることでルーフ部８の昇降を安定的かつ円滑に行えるようにする。リンク部２４ａ，２４ｂの一方の端部は、ピン２７、２８を介して下方基部２１と上方基部２２とに回転するように軸支され、リンク部２４ａ，２４ｂの他方の端部には、ローラ２９，３０が軸支され、下方基部２１と上方基部２２に設けた案内部３１，３２に沿って転動するようにはめ込まれる。
【００１９】
ガスダンパ２５は、そのシリンダ側をピン３３で、ロッド側をピン３４でそれぞれ回転自在に位置決め固定される。ルーフ部８は、ガスダンパ２５のガス圧により上昇操作に要する操作力を助成すると共に、上昇した位置を維持するようにルーフ部の荷重を支持する。
【００２０】
なお、左側壁５以外の前壁４，右側壁６，および後壁７と、ルーフ部８との間には図示しないカーテン部材が設けられ、ルーフ部８が上昇移動したとき、カーテン部材が展開され、外部から雨水や塵埃が内部空間１２に入り込まないようにしている。
【００２１】
初期上昇助成手段２６は、リンク部２４ａに固定したブラケット３５にピン３６を介して回転自在に設けたベルクランクレバー３７、このベルクランクレバー３７とピン２８との間に張装したばね３８、および下方基部２１の端部に設けた転動部４０よりなる。図５，図６に示すように、ベルクランクレバー３７はばね３８によりピン３６回りを常時反時計方向に回転するように設けられる。転動部４０は、ベルクランクレバー３７に軸支したローラ３９が移動する軌跡上に配置されていて、ルーフ部の初期上昇時および下降完了末期においてローラ３９が転動部４０上に受け止められるようになっている。このため、ベルクランクレバー３７に作用するばね３８のばね反力は、図５に示す状態のときに一番大きく、図６に示す状態のときが、一番小さい。
【００２２】
また、図６に示すように、下方基部２１と上方基部２２との上下方向の対応する位置には、自体公知の例えばラッチとストライカーよりなるロック手段４１が設けられる。ロック手段４１がロック状態にあるときは、図５のように昇降機構９のＸ型リンク２４はばね３８やガスダンパ２５のばね反力に抵抗して扁平状態に変形している。またロック手段４１がアンロック状態にされると、上方基部２２の下方基部２１に対する拘束力が解放されるので、図６に示すようにＸ型リンク２４はばね３８やガスダンパ２５のばね反力で上方に伸び上がるように変形される。
【００２３】
ロック手段４１によりルーフ部８が荷箱本体３を蓋する状態では、ルーフ部８はロックされ、ガスダンパ２５は最縮状態にあり、ベルクランクレバー３７のローラ３９が転動部４０に係合する。これにより、ベルクランクレバー３７に、ばね３８のばね力に抗してピン３６の回りを時計方向に強制的に回転する力が与えられる。
【００２４】
なお、転動部４０は、その下部に設けたボルト部に螺合するナット４２のねじ込み量を調整することで、転動部の取り付け高さを微調整でき、これによりばね３８のばね力を調整できる。また、ばね３８とベルクランクレバー３７との間にも、図示はしないが例えばターンバックルで形成されるばね力調整機構が設けられる。これら調整機構４２等によりルーフ部８の初期上昇操作力を微調整することが可能となる。
【００２５】
上記移動販売車１の作動を説明する。すなわち、車両を停止し、食品を調理して営業活動を行う場合、まず、荷箱本体３内に入った調理作業者が、ロック手段４１をロック状態からアンロック状態に解錠操作し、ルーフ部８をその下面から上に押し上げる。このとき、ばね３８は伸長しているので、ベルクランクレバー３７に作用するばね力は大きく、ベルクランクレバー３７はこのばね力により反時計方向に強制的に回転させられる回転力を受ける。このため、ルーフ部の上昇操作初期においては、ベルクランクレバー３７の上記回転力により、ルーフ部８を上方へ浮き上がらせる力が作用し、比較的に軽い操作力でルーフ部を持ち上げる。
【００２６】
一旦、ルーフ部が余勢のついた状態で上昇し始め、ある程度以上ルーフ部８が開いた後は、ばね３８よりもガスダンパ２５によるばね作用が大きく寄与することとなる。このため、上昇操作の途中からは、ガスダンパ２５のガス圧による力が大きくルーフ部に作用し、図２，図６に示すようにルーフ部を小さな上昇移動操作力で上昇移動できる。こうして、ルーフ部８をその下面から上に押し上げる操作力を作用させて、上昇させるとき、３個の昇降機構９による操作力を助成する助成力がルーフ部に作用するので、作業者は相当な重量（約２０ｋｇ相当）であるＦＲＰ製のルーフ部８を容易かつ簡単に上昇させることができる。
【００２７】
次に、ルーフ部８を上昇させた後は、左側壁５を開く作業を行うが、まず、図１に示すように支柱３Ａ，３Ｂ間に挟まれて固定されている左側壁５のうち、上壁部５ａを、図示されないロック装置を解錠して、図２の実線に示すように下方へ折りたたむことができる。すなわち、図１の矢印Ａに示す方向に上壁部５ａをヒンジ１０を回転中心として折りたたむことで、図２に示すように左側壁５はほぼ上半分を開いた半開状態となる。
【００２８】
さらに、荷箱本体３の設置した厨房器具を修理点検、取り替え等を行いたい場合には、半開状態で折りたたまれた左側壁５を、さらに下方に折りたたんで全開状態にして行われる。すなわち、図２の矢印Ｂのように半開状態に折りたたまれた左側壁５をヒンジ１１回りを中心にして下方に回転することで、図２の二点鎖線に示すように全開放状態となる。
【００２９】
また、反対に調理販売状態から移動販売車を通常の走行可能な状態に復帰する場合には、左側壁５を上述した手順と逆に操作することで閉じることができ、またルーフ部８下面に取り付けた図示されないグリップを下方に引き下げ、昇降機構９を図６に示す状態から図５に示す状態に変形させることによりルーフ部８で荷箱本体３の天井部を蓋することができる。
【００３０】
このように本実施の形態によれば、ルーフ部８が昇降機構９により上昇移動して支持され、車両左側面の左側壁５が半開あるいは全開状態のいずれかの開状態にされることで、図７，図８に示されるように、調理作業者Ｐは荷箱本体３内の内部空間１２に立った姿勢で食品を調理でき、調理した食品を開放空間Ｓ（図２参照）を通じて顧客Ｃと授受して販売することができる。このとき、開放空間Ｓには、調理作業者Ｐと顧客Ｃとの間の視界を遮るような横フレーム材といった荷箱本体の構成部材や、昇降機構９等といった遮蔽物が一切介在していないので、両者の姿、顔がよく見える状態で、調理食品を手渡しによる授受を行えるばかりか、両者間の意思疎通を大幅に向上して、調理食品の販売量を格段に増大させることができる効果がある。
【００３１】
上記実施の形態では、左側壁５を下方に折りたたんで開放するように形成した場合であったが、右側壁６についても下方に折りたたんで開放することができる構成にすることも可能である。
また、上記実施の形態では、左側壁５を上下２段の壁部５ａ，５ｂで形成したが、段数はこれに限定されるものでないことは勿論である。
また、上記実施の形態の移動販売車１は、調理した食品を移動販売する場合について説明したが、調理食品販売に限定されず、それ以外の商品を販売するものであってもよい。
また、上記実施の形態では、昇降機構９のＸ型リンク２４をそのリンク部２４ａ，２４ｂの各中央部でピボット２３により結合したので、ルーフ部８を上下に平行移動するように昇降させたが、このピボット２３の位置を中央部から偏倚した位置に設定することで、ルーフ部８を傾斜させて昇降させるように形成することも可能である。
また、上記ではアクチュエータとしてガスダンパ２５を使用したが、空気圧シリンダ装置を使用してもよい。
【００３２】
【発明の効果】
請求項１の発明によれば、煽りパネルを下方に折りたたむという簡単な操作で、接客側の煽りパネルのある荷箱本体の側面を開くことができるので、接客のための開放空間を簡単かつ容易に形成することができ、また、この開放空間には荷箱本体を形成するフレーム材、昇降機構等の遮蔽物が存在しないため、開放空間の視界性を良好に維持でき、作業者は顧客の顔を見ながら接客対応でき、ひいては販売営業活動を円滑に行える効果を奏する。
【００３３】
請求項２の発明によれば、煽りパネルを下方に開くことにより形成される作業者と顧客とが接する接客可能な開放空間には、ルーフ部を昇降させる昇降機構や、作業者と顧客との間の相互の視界を遮る部材がなんら介在しない構成であるので、開放空間を通じてより的確に接客対応でき、ひいては顧客との意思疎通を格段に向上できる効果を奏する。
【００３４】
また、請求項３の発明によれば、少なくともいずれか一方の側壁が上下に分割して形成され、これら各部分壁同士をヒンジを介して下方に折りたたみながら荷箱本体の一面を開くことができ、閉じるときはコンパクトに折りたたまれた状態から上方に持ち上げながら閉じることができるので、開閉操作性に優れ、開放空間を容易かつ簡易に作り出すことができる効果がある。
【００３５】
請求項４の発明によれば、厨房器具を使用して食品を調理でき、調理食品を開放空間を通じて顧客に授受して提供することで、移動販売が可能となる。
【図面の簡単な説明】
【図１】本発明の実施の形態における移動販売車を斜め後方から視た状態を示す外観斜視図である。
【図２】図１に示す移動販売車のルーフ部および左側壁を開いた状態を示す外観斜視図である。
【図３】図１の移動販売車の荷箱本体内部に設置した厨房器具の配置構成を示す平面図である。
【図４】図３の側面図である。
【図５】図２に示す昇降機構が収縮した状態を示す昇降機構の要部拡大側面図である。
【図６】図５に示す昇降機構が上方基部（ルーフ部側）を上昇させた状態を示す要部拡大側面図である。
【図７】図１に示す移動販売車の荷箱本体内で調理作業者が立ち姿勢で調理できる状態を説明する説明側面図である。
【図８】同様に調理作業車と顧客との手渡し授受の状態を説明する図７の右側面図である。
【符号の説明】
１…移動販売車、２…キャブ、３…荷箱本体、５…左側壁（煽りパネル）、５ａ…上壁部、５ｂ…下壁部、６…右側壁（煽りパネル）、８…ルーフ部、９…昇降機構、１０…ヒンジ、１１…ヒンジ、１２…内部空間、２４…Ｘ型リンク、Ｃ…顧客、Ｐ…調理作業者、Ｓ…開放空間、
【図１】
2004009762.tif 000003
【図２】
2004009762.tif 000004
【図３】
2004009762.tif 000005
【図４】
2004009762.tif 000006
【図５】
2004009762.tif 000007
【図６】
2004009762.tif 000008
【図７】
2004009762.tif 000009
【図８】
2004009762.tif 000010